(57)【要約】【課題】記録用紙の厚さに応じて、紙しわの発生及び像ずれの発生を共に抑制することができる定着装置及びこれを備えた画像形成装置を簡易な構成で安価に提供する。【解決手段】記録用紙Ｐに形成された未定着トナー像を加熱する加熱ロール５１と、加熱ロール５１と対向配置され、加熱ロール５１との間で定着圧接部Ｎ１を形成する加圧ロール５２と、定着圧接部Ｎ１に記録用紙Ｐを案内する定着案内部材５５とを備え、定着案内部材５５は、記録用紙Ｐを定着圧接部Ｎ１に案内する際に、記録用紙Ｐの厚さに基づいて、所定の方向に移動することを特徴とする。【選択図】図２
2008299147.tif 000002
【特許請求の範囲】
【請求項１】
記録用紙に形成された未定着トナー像を加熱する加熱ロールと、
該加熱ロールと対向配置され、該加熱ロールとの間で定着圧接部を形成する加圧ロールと、
前記定着圧接部に記録用紙を案内する定着案内部材と
を備え、
前記定着案内部材は、記録用紙を定着圧接部に案内する際に、該記録用紙の厚さに基づいて、所定の方向に移動することを特徴とする定着装置。
【請求項２】
前記定着案内部材は、記録用紙の厚さが厚くなるほど、非画像形成面側に移動することを特徴とする請求項１に記載の定着装置。
【請求項３】
前記定着案内部材は、所定の厚さを超えた記録用紙を用いる場合に、非画像形成面側に移動することを特徴とする請求項１又は２に記載の定着装置。
【請求項４】
前記所定の厚さは、複数段階で設定されていることを特徴とする請求項３に記載の定着装置。
【請求項５】
前記定着案内部材の移動は、記録用紙が該定着案内部材上に存在しない期間中に実施されることを特徴とする請求項１ないし４のいずれかに記載の定着装置。
【請求項６】
前記定着案内部材の移動は、定着ロール側の先端を回転させることにより行われることを特徴とする請求項１ないし５のいずれかに記載の定着装置。
【請求項７】
前記定着案内部材の移動は、ソレノイドで駆動されることを特徴とする請求項１ないし６のいずれかに記載の定着装置。
【請求項８】
前記定着案内部材は、記録用紙の重さに応じて移動することを特徴とする請求項１ないし６のいずれかに記載の定着装置。
【請求項９】
前記定着案内部材の移動は、定着ロール側の先端が、記録用紙の重さに応じて撓むことにより行われることを特徴とする請求項８に記載の定着装置。
【請求項１０】
前記定着案内部材は、非画像形成面側に突出するような凹型に湾曲していることを特徴とする請求項１ないし９のいずれかに記載の定着装置。
【請求項１１】
請求項１ないし１０のいずれかに記載の定着装置と、
前記定着装置の上流側にて、未定着トナー像を記録用紙に転写する転写圧接部を備え、
前記定着案内部材は、記録用紙の厚さが所定の厚さを超える場合に、前記転写圧接部と定着圧接部とを含む平面よりも非画像形成面側に移動させることを特徴とする画像形成装置。
【請求項１２】
前記記録用紙が所定の厚さを超える場合には、定着速度を転写速度と同速以上となるように増速することを特徴とする請求項１１に記載の画像形成装置。
【発明の詳細な説明】
【技術分野】
【０００１】
本発明は、記録用紙の定着圧接部への突入をガイドする定着案内部材を有する定着装置及びこれを備えた画像形成装置に関する。
【背景技術】
【０００２】
【特許文献１】特開２００２−２７８３２９号公報
【特許文献２】特開２００３−６６７４９号公報
【特許文献３】特開２００６−３０２６８号公報
【０００３】
従来、電子写真方式等の複写機やプリンタなどの画像形成装置では、記録用紙に形成された未定着トナー像を熱及び圧力により当該記録用紙に定着させる定着装置が用いられている。このような定着装置においては、未定着トナー像が形成された記録用紙を定着装置の所定の圧接部に適切に案内するための定着案内部材を備えたものが知られている。（例えば、特許文献１〜３参照）。
【０００４】
ここで、特許文献１には、トナーの飛散等の防止のために、定着案内部材を電気的にフロート状態に保持した定着装置が開示されている。
【０００５】
また、特許文献２には、記録用紙の後端部における転写抜けを防止するために、転写部と定着装置との間で記録用紙に撓みを形成させる画像形成装置が開示されている。
【０００６】
さらに、特許文献３には、像保持体の周速を定着装置の回転体の周速度よりも速く設定すると共に、定着案内部材を、記録用紙が定着圧接部に噛み込まれた後に、ニップ中心線と交差する位置からニップ中心線から離れた位置に移動させて、記録用紙が定着装置の一方の回転体と接触するのを回避して画像にじみの発生を防止した画像形成装置が開示されている。
【発明の開示】
【発明が解決しようとする課題】
【０００７】
本発明の目的とするところは、記録用紙の厚さに応じて、紙しわの発生及び像ずれの発生を共に抑制することができる定着装置及びこれを備えた画像形成装置を簡易な構成で安価に提供することにある。
【課題を解決するための手段】
【０００８】
上記目的を達成するために、請求項１に記載の定着装置は、記録用紙に形成された未定着トナー像を加熱する加熱ロールと、該加熱ロールと対向配置され、該加熱ロールとの間で定着圧接部を形成する加圧ロールと、前記定着圧接部に記録用紙を案内する定着案内部材とを備え、前記定着案内部材は、記録用紙を定着圧接部に案内する際に、該記録用紙の厚さに基づいて、所定の方向に移動することを特徴とするものである。
【０００９】
請求項２に記載の定着装置は、請求項１に記載の構成において、前記定着案内部材は、記録用紙の厚さが厚くなるほど、非画像形成面側に移動することを特徴とするものである。
【００１０】
ここで、非画像形成面側とは、記録用紙から見て未定着トナー像が形成されていない側をいうものとし、記録用紙の両面にトナー像が形成される場合には、直前の転写工程において未定着トナー像が形成されていない側をいうものとする。
【００１１】
請求項３に記載の定着装置は、請求項１又は２に記載の構成において、前記定着案内部材は、所定の厚さを超えた記録用紙を用いる場合に、非画像形成面側に移動することを特徴とするものである。
【００１２】
請求項４に記載の定着装置は、請求項３に記載の構成において、前記所定の厚さは、複数段階で設定されていることを特徴とするものである。
【００１３】
請求項５に記載の定着装置は、請求項１ないし４のいずれかに記載の構成において、前記定着案内部材の移動は、記録用紙が該定着案内部材上に存在しない期間中に実施されることを特徴とするものである。
【００１４】
請求項６に記載の定着装置は、請求項１ないし５のいずれかに記載の構成において、前記定着案内部材の移動は、定着ロール側の先端を回転させることにより行われることを特徴とするものである。
【００１５】
請求項７に記載の定着装置は、請求項１ないし６のいずれかに記載の構成において、前記定着案内部材の移動は、ソレノイドで駆動されることを特徴とするものである。
【００１６】
請求項８に記載の定着装置は、請求項１ないし６のいずれかに記載の構成において、前記定着案内部材は、記録用紙の重さに応じて移動することを特徴とするものである。
【００１７】
請求項９に記載の定着装置は、請求項８に記載の構成において、前記定着案内部材の移動は、定着ロール側の先端が、記録用紙の重さに応じて撓むことにより行われることを特徴とするものである。
【００１８】
請求項１０に記載の定着装置は、請求項１ないし９のいずれかに記載の構成において、前記定着案内部材は、非画像形成面側に突出するような凹型に湾曲していることを特徴とするものである。
【００１９】
請求項１１に記載の画像形成装置は、請求項１ないし１０のいずれかに記載の定着装置と、前記定着装置の上流側にて、未定着トナー像を記録用紙に転写する転写圧接部を備え、前記定着案内部材は、記録用紙の厚さが所定の厚さを超える場合に、前記転写圧接部と定着圧接部とを含む平面よりも非画像形成面側に移動させることを特徴とするものである。
【００２０】
ここで、転写圧接部と定着圧接部とを含む平面とは、用紙搬送方向に沿った転写圧接領域の中央部と定着圧接領域の中央部とを含んだ平面をいうものとする。
【００２１】
請求項１２に記載の画像形成装置は、請求項１１に記載の構成において、前記記録用紙が所定の厚さを超える場合には、定着速度を転写速度と同速以上となるように増速することを特徴とするものである。
【００２２】
ここで、定着速度とは、定着圧接部を通過する際の記録用紙の搬送速度をいい、転写速度とは、転写圧接部を通過する際の記録用紙の搬送速度をいうものとする。
【発明の効果】
【００２３】
請求項１に記載の発明によれば、普通紙における紙しわの発生を抑制すると共に、厚紙における衝撃に伴う転写像ずれを抑制することができる定着装置を簡易な構成で提供することができる。
【００２４】
請求項２に記載の発明によれば、記録用紙が厚くなるほど顕著な問題となる、定着圧接部に突入する際の記録用紙と加熱ロールとの衝突による転写像のずれをより効果的に抑制することができる。
【００２５】
請求項３に記載の発明によれば、定着案内部材の移動を簡易な構成及び制御により実現することができる。
【００２６】
請求項４に記載の発明によれば、記録用紙の厚さに応じた紙しわの発生及び像ずれを、簡易な構成でより適切に抑制することができる。
【００２７】
請求項５に記載の発明によれば、定着案内部材の移動に伴う記録用紙の振動を未然に防止することができる。
【００２８】
請求項６に記載の発明によれば、定着案内部材を平行移動させる構成に比し、記録用紙に対する捩れの発生を未然に防止することができる。
【００２９】
請求項７に記載の発明によれば、簡易な構成で定着案内部材の移動をより迅速に行うことができる。
【００３０】
請求項８に記載の発明によれば、記録用紙の厚さに応じて移動する定着案内部材を、用紙重さを利用して簡易に実現することができる。
【００３１】
請求項９に記載の発明によれば、記録用紙の重さに応じて移動する定着案内部材を簡易な構成で実現することができる。
【００３２】
請求項１０に記載の発明によれば、用紙ループを形成して、記録用紙に対する紙しわの発生をより効果的に抑制することができる。
【００３３】
請求項１１に記載の発明によれば、定着圧接部に突入する際の加熱ロールと厚紙との衝突により発生する振動を抑制して、当該振動の転写圧接部への伝播に伴う像ずれを確実に防止する画像形成装置を実現することができる。
【００３４】
請求項１２に記載の発明によれば、速度差を設けて紙しわの発生を抑制する必要のない厚紙の場合には定着速度を転写速度と略同等となるように増速することにより、増ずれの発生を抑制すると共に、生産性の向上を図った画像形成装置を実現することができる。
【発明を実施するための最良の形態】
【００３５】
以下、本発明の一実施の形態について、図面を参照して説明する。
【００３６】
まず、本発明に係る定着装置を含む画像形成装置の概略構成について、図１を参照して説明する。図１は、本発明に係る画像形成装置の一実施の形態を示す模式的構成図である。
【００３７】
図１に示されるように、本発明に係る画像形成装置１０は、一様帯電後に像光を照射することにより表面に静電電位の差による潜像が形成される感光ドラム２１を備えており、この周囲に、感光ドラム２１の表面を一様に帯電させる帯電装置２２と、感光ドラム２１に像光を照射して表面に潜像を形成する露光装置２３と、感光ドラム２１上の潜像にトナーを選択的に転移させてトナー像を形成する現像装置２４と、感光ドラム２１と対向し、記録媒体としての記録用紙Ｐを挟んで感光ドラム２１との間に転写バイアス電界を生成する転写装置３０と、トナー像の転写後に感光ドラム２１に残留するトナーを除去するクリーニング装置２９とが設けられている。そして、感光ドラム２１と転写ロール３０ａとの対向部（転写圧接部）の上流側から記録用紙Ｐを供給するようになっており、下流側には記録用紙Ｐ上に転写された未定着トナー像を加熱溶融し記録用紙Ｐに圧着する定着装置５０が設けられている。なお、図中、符号Ｌａは感光ドラム２１の残留電位を除電する除電ランプ、Ｆｇは記録用紙Ｐの感光ドラム２１への巻き付きを防止する剥離つめ、Ｓは濃度センサを示す。
【００３８】
ここで、像保持体である感光ドラム２１は、矢印方向に回転する金属製ドラムの表面に有機感光材料、アモルファスセレン系感光材料、アモルファスシリコン系感光材料等からなる感光体層を形成したものを用いることができる。
【００３９】
また、帯電装置２２は、例えば、タングステンなどからなる細いワイヤーに高電圧を印加すると共にそれと離間したアルミなどからなるシールド及び感光ドラム２１側に隙間のあるグリッド電極を配置したスコロトロンを用いることができる。
【００４０】
露光装置２３は、レーザ書込み装置やＬＥＤアレイを有し、画像信号に基づいて点滅する露光光を発生し、これをポリゴンミラーによって感光ドラム２１の主走査方向にスキャンするものであり、これにより感光ドラム２１の表面に静電潜像を形成する。この静電潜像は、光の当たった部分の感光ドラム２１の表面電位が低下し、光の当たっていない高電位部分とのコントラストによる電位画像として形成される。
【００４１】
また、現像装置２４は、ハウジング内に着色粒子であるトナー及び磁性キャリアからなる二成分現像剤を収容し、現像ロール２４ａに二成分現像剤を保持させ、この現像ロール２４ａに不図示のバイアス電源からの現像バイアスを印加することで、現像ロール２４ａを静電潜像の高電位部と低電位部との中間電位に保持し、静電潜像の画像部を帯電されたトナーにて現像するようにしたものである。
【００４２】
さらに、転写装置３０は、不図示のバイアス電源によって感光ドラム２１上のトナー像が引き付けられる方向の転写バイアスを印加することで、感光ドラム２１上のトナー像を記録用紙Ｐに転与させるものであり、本実施の形態に係る転写装置３０は、感光ドラム２１と、この感光ドラム２１と対向配置された転写ロール３０ａとで圧接部（以下、転写圧接部とも称する）を形成している。そして、この感光ドラム２１と転写ロール３０ａとの間で形成された転写圧接部には、複数のローラ（本例では、駆動ロール３１及び従動ロール３３）に捲回されて、所定の方向に回転自在（本例では、時計回り方向）に形成され、記録用紙Ｐを転写部から定着部へ搬送する転写搬送ベルト３０ｂが挿通されている。この転写搬送ベルト３０ｂは、回転速度が転写装置３０の転写速度（転写圧接部を通過する際の記録用紙Ｐの搬送速度）と同期するように駆動ロール３１により回転駆動されるようになっており、その表面に記録用紙Ｐを静電気力により吸着して、当該記録用紙Ｐの、転写搬送ベルト３０ｂと一体の高速搬送（３８０ｍｍ／ｓｅｃ以上）を可能としている。
【００４３】
また、転写後に感光ドラム２１上に残留した転写残トナーは、例えばクリーニングロール２９ａ及びクリーニングブレード２９ｂから構成されるクリーニング装置２９によって除去されると共に、転写搬送ベルト３０ｂに付着した紙粉やトナー等は、ベルトクリーナ３５によりクリーニングされるようになっている。
【００４４】
定着装置５０は、ヒートロール方式であり、定着ロールを構成する加熱ロール５１と加圧ロール５２とを有し、例えば、加熱ロール５１が不図示の駆動源に接続され、パルス信号によりその回転速度が可変できるように構成されていると共に、加圧ロール５２はこの加熱ロール５１に圧接し、加熱ロール５１の回転駆動に従動して回転するように構成されている。そして、この加熱ロール５１と加庄ロール５２とで形成される圧接部（以下、定着圧接部とも称する）に記録用紙Ｐを通過させることにより未定着トナー像を熱及び圧力により記録用紙Ｐに定着するようになっている。
【００４５】
加熱ロール５１としては、円筒状芯金の表面にシリコーンゴム等の耐熱性弾性体を被覆したものや、さらにこの耐熱性弾性体の上にパーテトラフロロエチレン（ＰＴＦＥ）や、パーフロロアルコキシ（ＰＦＡ）等の耐熱性樹脂を被覆したものを用いることができる。この加熱ロール５１内には加熱源である加熱ランプが内蔵されており、不図示の温度検知センサに基づき、加熱ロール５１の表面温度を一定に保つようになっている。
【００４６】
一方、加圧ロール５２としては、円筒状芯金の表面にシリコーンゴム、フッ素ゴム等の耐熱弾性体を被覆したものや、さらにこの耐熱弾性体の上にパーテトラフロロエチレン（ＰＴＦＥ）や、パーフロロアルコキシ（ＰＦＡ）等の耐熱性樹脂を被覆したもの、あるいはアルミニウムや鉄などの金属の表面にパーテトラフロロエチレン（ＰＴＦＥ）や、パーフロロアルコキシ（ＰＦＡ）等の耐熱性樹脂を被覆したものを用いることができる。
【００４７】
さらに、上記加熱ロール５１と加圧ロール５２とで形成される定着圧接部の上流側には、転写搬送ベルト３０ｂとの間に、板状の定着案内部材５５が配設されている。
【００４８】
そして、転写搬送ベルト３０ｂの上流側（図中、左側）から供給された記録用紙Ｐは、転写搬送ベルト３０ｂを介して、感光ドラム２１と転写ロール３０ａとの間で形成される転写圧接部に供給されて、未定着トナー像が記録用紙Ｐ上に形成された後、当該転写後の記録用紙Ｐは、転写搬送ベルト３０ｂ上を図中矢印方向に沿って搬送されて、転写搬送ベルト３０ｂの下流側（本例では、駆動ロール３１側）から定着案内部材５５を介して、定着装置５０に供給されるようになっている。
【００４９】
次に、本実施の形態に係る定着案内部材５５の動作概要について、図２及び図３を参照して以下に説明する。
【００５０】
一般に、定着案内部材５５の位置は、記録用紙Ｐを定着圧接部Ｎ１に導入する際には、記録用紙Ｐを加熱ロール５１に突き当てて、用紙先端側と後端側とで適切な用紙撓み（用紙ループ）を形成し、この用紙ループにより捩れ方向の張力を吸収して紙しわの発生を未然に防止している。そして、定着案内部材５５の位置は、紙しわが発生し易い普通紙が定着圧接部Ｎ１へ突入する際に適切な用紙ループが形成されるように、その配置が設定されている。
【００５１】
ところで、このように普通紙に併せて配置位置が設定された定着案内部材５５では、所定の厚さを超える厚紙が定着圧接部Ｎ１を導入する際には、当該厚紙の剛性により用紙ループが形成され難く、定着圧接部Ｎ１に突入した際の衝撃（特に、加熱ロール５１と衝突する際の衝撃）が、そのまま転写圧接部Ｎ０まで伝播し、転写像ずれ等の問題が発生し易くなる。
【００５２】
そこで、本実施の形態に係る画像形成装置１０では、記録用紙Ｐの厚さに応じて、定着案内部材５５を所定の方向に移動するように構成している。
【００５３】
具体的にはまず、記録用紙Ｐとして、１００ｇ／ｍ2以下の普通紙を用いる場合には、図２に模式的に示されるように、定着案内部材５５は、その定着ロール５１，５２側の先端５５ｔが、転写圧接部Ｎ０と定着圧接部Ｎ１とを含む平面（図中、直線Ｌ０）よりも上方（画像形成面側）に位置（図中、５５Ａの位置）するように配置されている。さらに、この状態においては、本実施の形態に係る転写装置３０と定着装置５０との間には、用紙ループを形成し易いよう、定着速度（記録用紙Ｐが定着圧接部Ｎ１を通過する速度）が転写速度（記録用紙Ｐが転写圧接部Ｎ０を通過する速度）よりも若干遅くなるように、所定の相対速度差が設定されている。これにより、図３（ａ）に模式的に示すように、転写搬送ベルト３０ｂから定着装置５０に向けて排出された未定着トナー像が形成された普通紙Ｐ０を、定着案内部材５５Ａに沿って加熱ロール５１に向かって突き当てるように案内すると共に、普通紙Ｐ０の先端側と後端側との間で用紙ループを形成し、普通紙Ｐ０に対する紙しわの発生を効果的に抑制している。
【００５４】
一方、記録用紙Ｐとして、１００ｇ／ｍ2を越える厚紙を用いる場合には、図２に示すように、定着案内部材５５を、その定着ロール５１，５２側の先端５５ｔが、転写圧接部Ｎ０と定着圧接部Ｎ１とを含む平面（図中、直線Ｌ０）よりも下方（非画像形成面側）であって、直線Ｌ０と加圧ロール５２の半径ｒだけ隔てた平行な直線Ｌ１とで挟まれた領域内に位置（図中、５５Ｂの位置）するように移動させる。厚紙の場合に、このような所定の領域内に定着案内部材５５の先端５５ｔが位置するように移動させることにより、図３（ｂ）に模式的に示すように、定着圧接部Ｎ１に導入する際の加熱ロール５１と厚紙Ｐ１との衝突を未然に防止すると共に、定着圧接部Ｎ１への確実な導入を図り（例えば、定着案内部材５５をＬ１よりも下方に移動させた場合には、厚紙Ｐ１を定着圧接部Ｎ１へ導入できない虞が生じる）、併せて定着圧接部Ｎ１にて挟持された厚紙Ｐ１の定着ロール５１，５２の回転や自重による若干の撓みといった用紙ループの形成も期待でき、定着圧接部Ｎ１への厚紙Ｐ１の突入に伴う衝撃の吸収をより効果的に実現することができる。また、この状態においては、本実施の形態に係る定着装置５０の定着速度が所定の転写速度と略同等となるように定着ロール５１，５２の回転を増速し、これにより、紙しわ発生が生じ難い厚紙Ｐ１の場合には、普通紙Ｐ０のような速度差を設けずに、生産性の向上を図っている。
【００５５】
なお、定着案内部材５５を所定の位置５５Ｂに移動させる際には、移動に伴う記録用紙Ｐの振動を未然に防止するという観点から、オペレータの用紙選択指示等により所定の厚さの厚紙が選択された場合には、記録用紙Ｐが、定着案内部材５５上に存在しない期間中（記録用紙Ｐが定着案内部材５５に導入される前）に、移動を完了させることが好ましい。
【００５６】
また、定着案内部材５５の移動を行うか否かの閾値は、上述のような値（本例では、１００ｇ／ｍ2）に限定されるものではなく、適宜変更設定することができる。また、紙厚が増大するほど移動量が増大するように、例えば複数の閾値に基づいて、移動量を変更するように構成してもよい。
【００５７】
このような本実施の形態に係る定着案内部材５５の種々の具体的な構成について、実施例として以下に説明する。
【００５８】
本実施例は、図４に示すように、定着案内部材５５の転写装置３０側の端部を回転支持部材５５１にて支持し、他方の定着圧接部Ｎ１側の端部５５ｔを弱い弾性部材５５３で弾性支持し、回転支持部材５５１の回転軸を中心として、先端部５５ｔを回転可能に構成したものである。そして、先端部５５ｔを支持する弾性部材は、具体的には、記録用紙Ｐの重さに応じて変移可能な弱いバネ等で形成されており、所定の厚さ（例えば、１００ｇ／ｍ2）を超える厚紙Ｐ１が導入された場合に、先端部５５ｔが所定の領域（図２における直線Ｌ０とＬ１とで挟まれた領域）に位置するように、弾性部材５５３の弾性係数が選定されている。これにより、記録用紙Ｐの厚さに応じて、先端部５５ｔを連続的に移動させることができる定着案内部材５５を簡易な構成で実現することができる。
【００５９】
なお、変形例としては、上記弾性部材５５３の代わりにソレノイドを用いてもよく、この場合には、定着案内部材５５の所定の移動動作をより迅速に完了させることができる。
【００６０】
また、別の変形例としては、定着案内部材５５自体を弾性部材で形成することにより、記録用紙Ｐの厚さに応じて先端部５５ｔが撓むように構成してもよい。
【００６１】
この場合は、定着案内部材５５を形成する弾性部材を適切に選定することにより、記録用紙Ｐの厚さに応じて連続して移動する定着案内部材５５を、何らの駆動源を要することなく、簡易に実現することができる。
【００６２】
さらに、別の変形例としては、図５に示すように、定着案内部材５５の形状を、下向き（非画像形成面側）に突出する凹状に形成してもよい。
【００６３】
このように構成した場合には、普通紙Ｐ０を定着圧接部Ｎ１に導入する際には、凹状の定着案内部材５５Ａに倣った用紙ループ（用紙撓み）の形成を促進すると共に、厚紙Ｐ１が導入された場合にも、自重等による用紙ループの形成を促進して、定着圧接部Ｎ１に記録用紙Ｐが突入する際に衝撃をより効果的に抑制することができる。
【００６４】
なお、本実施の形態においては、感光ドラム２１から直接記録用紙Ｐへ画像形成を行なう画像形成装置１０を例示したが、本発明は、このような構成の画像形成装置に限定されるものではなく、例えば、各色（イエロー、マゼンダ、シアン、ブラック）画像を、従来公知の中間転写ベルトに一次転写し、この中間転写ベルトに形成された各色の一次転写画像を記録用紙Ｐに二次転写する、いわゆる中間転写方式の画像形成装置においても当然に適用可能である。
【００６５】
なお、以上の各実施例、変形例は、それぞれ単独で実施しても差し支えなしが、当然に適宜組み合わせて実施してもよい。
【図面の簡単な説明】
【００６６】
【図１】本発明の一実施の形態に係る画像形成装置を示す概略構成図である。
【図２】本発明の一実施形態に係る定着案内部材の動作を説明するための模式図である。
【図３】定着圧接部に普通紙が導入された場合と、厚紙が導入された場合の本発明に係る定着案内部材の作用を説明するための図である。
【図４】本発明に係る定着案内部材の一実施例を示す模式図である。
【図５】本発明に係る定着案内部材の別の実施例を示す模式図である。
【符号の説明】
【００６７】
１０：画像形成装置、２１：感光ドラム、２２：帯電装置、２３：露光装置、２４：現像装置、２４ａ：現像ロール、２９：クリーニング装置、３０：転写装置、３０ａ：転写ロール、３０ｂ：転写搬送ベルト、３１：駆動ロール、３３：従動ロール、３５：ベルトクリーナ、５０：定着装置、５１：加熱ロール、５２：加圧ロール、５５：定着案内部材、５５１：回転支持部材、５５３：弾性部材、５５ｔ：先端部、Ｌ０，Ｌ１：直線、Ｎ０：転写圧接部、Ｎ１：定着圧接部、Ｐ：記録用紙、Ｐ０：普通紙、Ｐ１：厚紙
【図１】
2008299147.tif 000003
【図２】
2008299147.tif 000004
【図３】
2008299147.tif 000005
【図４】
2008299147.tif 000006
【図５】
2008299147.tif 000007